(57)【要約】【課題】単一の板バネ材で袋口の開閉構造を構築することにより、袋口の自在な開閉操作を確保しながら、従来よりも袋口を軽薄化する。【解決手段】袋２０は、互いに向き合う二つの袋面２１，２２を有し、これら袋面の左右の各端部同士がつながることで上端に袋口が構成されている。その袋口付近において、前記二つの袋面のうちの第１袋面２１の外面側に対し、予め弓形状に付形された板バネ材１０が装着されている。板バネ材１０は、第１袋面２１の左右方向に延びると共に、その袋面２１の外面に対し全面接着されている。【選択図】      図３
2004315061.tif 000002
【特許請求の範囲】
【請求項１】
互いに向き合う二つの袋面の左右の各端部同士がつながることで上端に袋口が構成された袋において、袋口を構成する二つの袋面のうちの一方に対し、弓形状又は円弧形状に付形された板バネ材をその袋面の左右方向に延びるように装着したことを特徴とする袋。
【請求項２】
前記弓形状又は円弧形状に付形された板バネ材は、前記一方の袋面の外面側に対し全面接着状態で装着されており、当該板バネ材の両端部には折り返し部がそれぞれ設けられ、各折り返し部にて前記二つの袋面の左右の各端部が挟着されていることを特徴とする請求項１に記載の袋。
【請求項３】
前記弓形状又は円弧形状に付形された板バネ材は、前記一方の袋面の内面側に対し全面接着状態で装着されており、当該板バネ材が装着されている一方の袋面と向き合う他方の袋面の内面側には、袋口閉塞時に前記板バネ材と接触するシール材が設けられていることを特徴とする請求項１に記載の袋。
【請求項４】
前記弓形状又は円弧形状に付形された板バネ材は、前記一方の袋面の内面側に対し全面接着状態で装着されており、袋口を構成する前記二つの袋面のうちの他方の袋面と向き合う前記板バネ材の表面には、袋口閉塞時に前記他方の袋面又は前記他方の袋面の内面側に設けられたシール材と接触するシール材が設けられていることを特徴とする請求項１又は３に記載の袋。
【発明の詳細な説明】
【０００１】
【発明の属する技術分野】
本発明は、物の包装や保管に使用する袋に関し、特に、袋の口を開閉するための開閉構造に関するものである。
【０００２】
【従来の技術】
従来、包装用袋の口部に２枚の板バネ材を組み合わせて装着し、その袋口を自在に開閉可能とする技術が知られている。例えば、特許文献１の包装用袋では、板状の合成樹脂製弾発体を重ね合わせ、その２枚の弾発体の両端部を一体として袋口を構成すると共に、それら弾発体の一方の内面に凸条を、他方の内面に凹溝を設けている。そして、弾発体のバネ弾性を利用して凸条と凹溝との相互係合を確実ならしめ、袋口を完全に封鎖できるようにしている。また、特許文献２のワンタッチ開閉式包装用袋では、その口部開閉手段を、合成樹脂製の弾発部材及び互いに重なり合った前後一対の合成樹脂製の板バネで構成している。そして、板バネの両側を内方に押圧することで、各板バネがそれぞれの外方に湾曲して袋体の口部が開き、押圧力を解除することで、板バネが元の状態に戻って袋体の口部が閉じるようにしている。
【０００３】
【特許文献１】実開昭５９−８７４５４号公報（請求の範囲及び各図）
【特許文献２】特開平９−３０１３８６号公報（要約）
【０００４】
【発明が解決しようとする課題】
しかしながら、上記従来の技術では、使用する板バネ材として真っ直ぐに延びる板バネ材を想定していたことから、板バネ材を２枚組み合わせて使用する必要があり、２枚重ねされた板バネ材により袋口の厚みが増すことが避けられなかった。特に袋の本体部分が比較的薄手の素材（例えば透明フィルム素材）で構成されている場合には、袋口が厚いことで袋全体が不格好に又は重々しく感じられ、意匠性に欠けていた。また、板バネ材を２枚使用することは、製造コストの増加要因ともなっていた。
【０００５】
本発明の目的は、単一の板バネ材で袋口の開閉構造を構築することにより、袋口の自在な開閉操作を確保しながら、従来よりも袋口を軽薄化することが可能な袋を提供することにある。
【０００６】
【課題を解決するための手段】
請求項１の発明は、互いに向き合う二つの袋面の左右の各端部同士がつながることで上端に袋口が構成された袋において、袋口を構成する二つの袋面のうちの一方に対し、弓形状又は円弧形状に付形された板バネ材をその袋面の左右方向に延びるように装着したことを特徴とする袋である。
【０００７】
請求項２の発明は、請求項１に記載の袋において、前記弓形状又は円弧形状に付形された板バネ材は、前記一方の袋面の外面側に対し全面接着状態で装着されており、当該板バネ材の両端部には折り返し部がそれぞれ設けられ、各折り返し部にて前記二つの袋面の左右の各端部が挟着されていることを特徴とする。
【０００８】
請求項３の発明は、請求項１に記載の袋において、前記弓形状又は円弧形状に付形された板バネ材は、前記一方の袋面の内面側に対し全面接着状態で装着されており、当該板バネ材が装着されている一方の袋面と向き合う他方の袋面の内面側には、袋口閉塞時に前記板バネ材と接触するシール材が設けられていることを特徴とする。
【０００９】
請求項４の発明は、請求項１又は３に記載の袋において、前記弓形状又は円弧形状に付形された板バネ材は、前記一方の袋面の内面側に対し全面接着状態で装着されており、袋口を構成する前記二つの袋面のうちの他方の袋面と向き合う前記板バネ材の表面には、袋口閉塞時に前記他方の袋面又は前記他方の袋面の内面側に設けられたシール材と接触するシール材が設けられていることを特徴とするものである。
【００１０】
（付記）請求項１において、「前記板バネ材の片側面が前記一方の袋面の外面側又は内面側に対し全面接着されていること」は好ましい。
【００１１】
（請求項１〜４に共通の作用）
本発明によれば、上端に袋口を構成する二つの袋面のうちの一方に対し、弓形状又は円弧形状に付形された板バネ材をその袋面の左右方向に延びるように装着することにより、袋口を自在に開閉操作可能な袋口の開閉構造が構築される。かかる袋口の開閉構造によれば、板バネ材に対し何の外力も及ぼされない自然状態では、板バネ材が装着されている一方の袋面と板バネ材が装着されていない他方の袋面の双方が、板バネ材の弓形又は円弧形の湾曲形状に沿って強制湾曲され、二つの袋面は共に湾曲しながら袋口の後又は前方向（左右方向と直交する方向）に張った状態となる。その結果、袋口付近において二つの袋面は互いに直接又は間接に接触した状態となり、袋口の閉塞が実現される。
【００１２】
これに対し、板バネ材の弓形状又は円弧形状が自然状態とは反対方向に反転するように板バネ材の中央を前又は後方向に押し（又は引っ張り）ながら、板バネ材の両端部をそれぞれの内方に向けて押圧する（即ち両端部を相互接近させる）ことで、板バネ材の湾曲形状が自然状態とは反対方向に反転した状態に板バネ材を反り返らせる。すると、板バネ材が装着されている一方の袋面は、板バネ材の反転動作に追従して反対方向に反り返るが、板バネ材が装着されていない他方の袋面は、必ずしも板バネ材の反転動作に追従しない。その結果、当該他方の袋面は板バネ材の張力による拘束から解放され、二つの袋面の接触状況が解除されて袋口の開放が実現される。尚、板バネ材の両端部をそれぞれの内方に向けて押圧する力を解除すると、板バネ材は再びその湾曲形状を反転させて元の弓形状又は円弧形状を取り戻し、二つの袋面が接近して袋口の閉塞が再現される。
【００１３】
【発明の実施の形態】
以下、本発明のいくつかの実施形態を図面を参照しながら説明する。
【００１４】
（基本となる実施形態）
図１は板バネ材１０の一例を示し、図２は図１の板バネ材１０を用いた袋２０を示し、図３はその袋２０の口の開閉操作の概要を示す。図１（Ａ）及び（Ｂ）に示すように、板バネ材１０は、正面視で横長の長方形状、平面視でほぼ弓形状をなしている。この板バネ材１０は、図１（Ａ）の平面視で上に凸、下に凹となるような弓形状に予め付形されているため、その弓形状を反対方向に反り返らせるような（即ち板バネ材１０を平面視で上に凹、下に凸とするような）外力を及ぼしたときに、その外力に反発して元の弓形状に戻ろうとするバネ弾性を発揮する。かかるバネ弾性を持った板バネ材１０を構成する素材としては、合成樹脂や金属を例示できる。また、この板バネ材１０の左右両端部にはそれぞれ、フック形状をした折り返し部１１が設けられている。
【００１５】
図２に示すように、袋２０の本体は、透明な樹脂フィルム（例えばポリエチレンフィルム）で構成されている。具体的には、縦長な長方形状の樹脂フィルムを準備し、その縦方向中央部の仮想水平線を折り目線として樹脂フィルムを縦方向に折り曲げ、樹脂フィルムの下辺が上辺に重なるように樹脂フィルムの下半部を上半部に重ねる。そして、相互一致した樹脂フィルムの上半部左辺と下半部左辺とをラミネート接着して袋の左辺２３を形成すると共に、相互一致した樹脂フィルムの上半部右辺と下半部右辺とをラミネート接着して袋の右辺２４を形成して袋２０を構成している。この袋２０にあっては、互いに向き合う二つの袋面（第１袋面２１及び第２袋面２２）によって比較的薄手の袋本体が構成され、左辺２３、右辺２４及び下辺（下端）２５が完全に閉じられると共に、前記二つの袋面２１，２２の左右の各端部同士がつながることで上辺（上端）２６に袋口が形成されている。
【００１６】
前記弓形状に付形された板バネ材１０は、袋２０の上辺２６の袋口近傍であって第１袋面２１の外面側に対し、その左右方向（幅方向）に延びるように装着されている。この装着は、板バネ材１０の一方の側面（装着面１２）の全体に接着剤を施し、その装着面１２を第１袋面２１の外面に対して全面接着することにより行われている。従って、板バネ材１０と第１袋面２１とは、板バネ材の装着面１２と第１袋面２１の外面との間に隙間を残さない状態で一体化されている。こうして、第１及び第２の袋面２１，２２と、第１袋面２１の外面に装着された板バネ材１０とにより、袋口を自在に開閉操作可能な袋口の開閉構造が構築されている。
【００１７】
また、図２（Ａ）に示すように、二つの袋面２１，２２の左右の各端部は、板バネ材１０の各端部及びそこに設けられた折り返し部１１によって挟着されている。この挟着により、二つの袋面２１，２２に対して板バネ材１０が確実に一体化されている。尚、板バネ材１０の各折り返し部１１は、袋２０に対する取り付け補強部として機能するのみならず、板バネ材１０の両端部をそれぞれの内方に向けて押圧する際の手指の掛け部又は掛け代としても利用し得る。
【００１８】
さて、図３の上半部（閉塞時）に示すように、板バネ材１０に対して何の外力も及ぼさない自然状態では、板バネ材１０が装着されている第１袋面２１と、第２袋面２２の双方が、板バネ材１０の弓形状に沿って強制湾曲され、二つの袋面２１，２２は共に湾曲しながら袋口の前後方向（つまり各袋面の左右方向と直交する方向）に張った状態となる。その結果、板バネ材１０が設けられた位置において二つの袋面２１，２２が互いに接触し、袋口が閉塞状態となる。
【００１９】
これに対し、板バネ材１０の弓形状が自然状態とは反対方向に反転するように板バネ材１０の中央をその背後から前方向に押し（又は引っ張り）ながら、板バネ材１０の両端部をそれぞれの内方に向けて押圧して（即ち両端部を相互接近させて）、板バネ材１０の弓形状が自然状態とは反対方向に反転した状態に板バネ材１０を反り返らせる。すると、図３の下半部（開放時）に示すように、第１袋面２１は、板バネ材１０の反転動作に追従して反対方向に反り返るが、第２袋面２２は、必ずしも板バネ材１０の反転動作に追従しない。その結果、第２袋面２２は板バネ材１０の張力による拘束から解放され、二つの袋面２１，２２の接触状況が解除されて袋口が開放される。
【００２０】
なお、板バネ材１０の両端部をそれぞれの内方に向けて押圧する力を解除すると、板バネ材１０はその弓形状を反転させて元の弓形状を取り戻し、再び二つの袋面２１，２２が相互接触して袋口が閉塞される。このように本実施形態によれば、予め弓形状に付形された単一の板バネ材１０を第１袋面２１の左右方向に延びるように装着するという比較的簡単な工夫で、袋口の自在な開閉操作を可能とする袋口の開閉構造を構築することができる。そして、この開閉構造によれば、従来よりも袋口を軽薄化することができる。
【００２１】
（その他の実施形態）
図１〜図３の袋では板バネ材１０を第１袋面２１の外面側に装着したが、図４（Ａ）〜（Ｄ）及び図５（Ａ）〜（Ｃ）に示すように、弓形状に付形された各板バネ材１０ａ，１０ｂ及び１０ｃを、第１袋面２１の内面（即ち第２袋面２２の内面と対向する面）側に対し、前記同様、全面接着状態で装着してもよい。
【００２２】
図４（Ａ）の袋では、第２袋面２２の内面側であって板バネ材１０ａと対向する位置に、柔らかい素材でできた帯状のシール材３１を設けている。図４（Ｂ）の袋では、板バネ材１０ｂの横断面形状を略かまぼこ型にすると共に、第２袋面２２の内面側であって板バネ材１０ｂと対向する位置に帯状のシール材３２を設けている。図４（Ｃ）の袋では、板バネ材１０ｂの横断面形状を略かまぼこ型にすると共に、第２袋面２２の内面側であって板バネ材１０ｂと対向する位置に帯状のシール材３３を設け、更に、そのシール材３３の横断面形状を前記板バネ材１０ｂのかまぼこ断面形状に対応した凹形状としている。
【００２３】
図４（Ａ）〜（Ｃ）の袋にあっては、板バネ材１０ａ，１０ｂに対し何の外力も及ぼされない自然状態では、各板バネ材１０ａ，１０ｂの表面がそれと対向するシール材３１〜３３に直接接触して袋口が閉塞されると共に、各板バネ材１０ａ，１０ｂとシール材３１〜３３との相互密着により、袋口のシール性が高められ袋内部の密閉性が向上する。なお、シール材３１〜３３の構成素材としては、ゴム、軟質樹脂、発泡樹脂等を例示できる。
【００２４】
図４（Ｄ）の袋は、図４（Ｃ）の袋に対して一対のタブ部２７，２８を付与したものである。即ち、第１袋面２１の内側であって板バネ材１０ｂの直下には、第１袋面の幅方向全体に延びる横長帯状の第１タブ部２７が設けられている。同様に、第２袋面２２の内側であってシール材３３の直下には、第２袋面の幅方向全体に延びる横長帯状の第２タブ部２８が設けられている。第１及び第２タブ部２７，２８にあっては、それぞれの上端部が各袋面との連結部（根元）となっており、その連結部（根元）を中心として、図中矢印で示す方向に自在に回動可能となっている。これら一対のタブ部２７，２８は、袋内部において一種の逆止弁を構成する。例えば、袋内に小麦粉などの粉体が収容されている場合に、板バネ材１０ｂを自然状態から反対方向に反り返らせた反動で、粉体が袋の中から外に飛び出しそうになったときでも、各タブ部２７，２８が袋口を閉じる方向に回動して袋内の粉体が袋口の方向（即ち上方向）に吸い出される事態を防止する。
【００２５】
図５（Ａ）の袋では、板バネ材１０ｃの横断面形状を三角形状にすると共に、第２袋面２２の内面側であって板バネ材１０ｃと対向する位置に帯状のシール材３４を設け、更に、そのシール材３４の横断面形状を前記板バネ材１０ｃの三角形状に呼応した三角溝型の凹形状としている。シール材３４の構成素材としてはゴム、軟質樹脂、発泡樹脂等を例示できる。この袋にあっては、板バネ材１０ｃに対し何の外力も及ぼされない自然状態では、板バネ材１０ｃの表面がそれと対向するシール材３４に直接接触して袋口が閉塞されると共に、板バネ材１０ｃとシール材３４との相互密着により袋口のシール性が高められ、袋内部の密閉性が向上する。
【００２６】
図５（Ｂ）の袋では、第１袋面２１の内面側に装着された板バネ材１０ａの表面に対し該第１袋面の幅方向全体に延びるチューブ（又はパイプ）３５を固着すると共に、第２袋面２２の内面側であって前記チューブ３５と対向する位置に、同じく第２袋面の幅方向全体に延びるチューブ（又はパイプ）３６を固着している。シール材としてのチューブ３５，３６は、例えば軟質樹脂からなる中空で細長い部材であり、該チューブを押し潰そうとする押圧作用に対してある程度の反発弾性を示す。この袋にあっては、板バネ材１０ａに対し何の外力も及ぼされない自然状態では、板バネ材表面のチューブ３５と、第２袋面側のチューブ３６とが相互接触して袋口が閉塞されると共に、板バネ材１０ａが両チューブ３５，３６を押し潰す方向に押圧することによって両チューブ３５，３６が変形しながら相互密着し、袋口のシール性が高められて袋内部の密閉性が向上する。
【００２７】
図５（Ｃ）に示すように、第１袋面２１の内面側に二つの板バネ材１０ａを上下に並べて設けてもよい。また、図５（Ｄ）に示すように、第１袋面２１の外面側に二つの板バネ材１０を上下に並べて設けてもよい。
【００２８】
図１〜図５に示した板バネ材１０，１０ａ，１０ｂ及び１０ｃはいずれも、平面視で弓形状をなすものであったが、図６に示すように、板バネ材１０ｄを平面視で円弧形状となるように構成してもよい。「円弧形状」には、図６に示すような楕円形状のほかに、円形状、半円形状、三日月形状、渦巻き形状等の湾曲形状も含まれる。図６の袋では、円弧形状の板バネ材１０ｄの外側に、第１及び第２の袋面２１，２２（破線で示す）が配置される。
【００２９】
図７（Ａ）に示すように、第１及び第２袋面２１，２２の各々の上端部２６に取っ手部となる突片４１を突出形成してもよい。また図７（Ｂ）に示すように、第１及び第２袋面２１，２２の各々の上端部中央を波形状又はシワ形状に加工することで取っ手部４２としてもよい。かかる取っ手部としての突片４１や取っ手部４２を設けることで、そこを手指でつまむことができ、板バネ材１０ａを自然状態と反対方向に反り返らせたときに、袋口を構成している二つの袋面２１，２２を離間させ易くなる。
【００３０】
図４（Ａ）〜（Ｄ）及び図５（Ａ）では、板バネ材１０ａ，１０ｂ又は１０ｃが装着されている第１袋面２１と向き合う第２袋面２２の内面側に、袋口閉塞時に当該板バネ材と接触するシール材３１〜３４を設けたが、その構成に代えて、前記板バネ材１０ａ，１０ｂ又は１０ｃの表面に、袋口閉塞時に第２袋面２２と接触するシール材を設けてもよい。あるいは、図４（Ａ）〜（Ｄ）及び図５（Ａ）の構成に追加して、前記板バネ材１０ａ，１０ｂ又は１０ｃの表面に、袋口閉塞時に第２袋面２２の内面側に設けられたシール材３１〜３４と接触するシール材を設けてもよい。
【００３１】
なお、この明細書において、「シール材」には、例えばシリコンゴム皮膜のようなシール性皮膜やシール性コーティングも含まれる。
【００３２】
【発明の効果】
請求項１によれば、上端に袋口を構成する二つの袋面のうちの一方に対し、弓形状又は円弧形状に付形された板バネ材をその袋面の左右方向に延びるように装着することにより、単一の板バネ材で袋口の開閉構造を構築でき、板バネ材の湾曲状態変化に伴う袋口の自在な開閉操作を確保しながら、従来よりも袋口を軽薄化することができる。
【００３３】
請求項２によれば、板バネ材が一方の袋面の外面側に対し全面接着状態で装着されることにより、板バネ材に対し何の外力も及ぼされない自然状態では、板バネ材が装着されている一方の袋面の内面側と、板バネ材が装着されていない他方の袋面の内面側とが互いに接触して、袋口の閉塞が実現される。更に、板バネ材の両端部にそれぞれ設けられた折り返し部にて二つの袋面の左右の各端部を挟着することで、板バネ材と二つの袋面との一体化が確実になる。また、板バネ材の各折り返し部を、板バネ材の両端部をそれぞれの内方に向けて押圧する際の手指の掛け部又は掛け代として利用することが可能となり、板バネ材の湾曲状況の反転操作がし易くなる。
【００３４】
請求項３によれば、板バネ材が一方の袋面の内面側に対し全面接着状態で装着されることにより、板バネ材に対し何の外力も及ぼされない自然状態では、板バネ材が装着されている一方の袋面の内面側と、板バネ材が装着されていない他方の袋面の内面側とが互いに、板バネ材及びシール材を間に挟んで間接的に接触して、袋口の閉塞が実現される。更に袋口閉塞時には、一方の袋面の内面側に対し全面接着状態で装着された板バネ材と、他方の袋面の内面側に設けられたシール材とが直接又は間接に接触することで袋口のシール性が高められ、袋内部の密閉性が向上する。
【００３５】
請求項４によれば、板バネ材が一方の袋面の内面側に対し全面接着状態で装着されることにより、板バネ材に対し何の外力も及ぼされない自然状態では、板バネ材が装着されている一方の袋面の内面側と、板バネ材が装着されていない他方の袋面の内面側とが互いに、板バネ材及びシール材を間に挟んで間接的に接触して、袋口の閉塞が実現される。更に袋口閉塞時には、一方の袋面の内面側に対し全面接着状態で装着された板バネ材の表面に設けられたシール材と、他方の袋面又は他方の袋面の内面側に設けられたシール材とが直接又は間接に接触することで袋口のシール性が高められ、袋内部の密閉性が向上する。
【図面の簡単な説明】
【図１】板バネ材の一例を示し、（Ａ）は平面図、（Ｂ）は正面図。
【図２】図１の板バネ材を用いた袋を示し、（Ａ）は平面図、（Ｂ）は正面図、（Ｃ）はＡ−Ａ線での拡大断面（端面）図。
【図３】図２の袋における袋口の開閉操作の概要を示す斜視図。
【図４】（Ａ）〜（Ｄ）は袋口の構造の各種態様を示す部分断面図。
【図５】（Ａ）〜（Ｄ）は袋口の構造の各種態様を示す部分断面図。
【図６】板バネ材の変更例を示す平面図。
【図７】（Ａ）及び（Ｂ）は袋の変更例を示す概略斜視図。
【符号の説明】
１０，１０ａ，１０ｂ，１０ｃ，１０ｄ…板バネ材、１１…折り返し部、１２…板バネ材の装着面、２０…袋、２１…第１袋面、２２…第２袋面、２６…袋の上辺（上端）、３１，３２，３３，３４…帯状のシール材、３５，３６…チューブ（シール材を構成する）。
【図１】
2004315061.tif 000003
【図２】
2004315061.tif 000004
【図３】
2004315061.tif 000005
【図４】
2004315061.tif 000006
【図５】
2004315061.tif 000007
【図６】
2004315061.tif 000008
【図７】
2004315061.tif 000009